(57)【要約】【課題】樹脂粘土又は樹脂風粘土とゴム部材とが装飾的効果を有する状態で接着された装飾印鑑を提供することである。【解決手段】装飾印鑑１０は、第一の面１８に印面を有しゴム部材を含んで構成されるゴム印部１２と、第一の面１８と反対側の第二の面２０上にシール材１６を介して設けられる粘土部１４と、を備え、シール材１６は、ゴム印部１２と粘土部１４とを接着する装飾用接着剤である。また、装飾用接着剤が硬化する前に装飾用接着剤の内部に挿入された部材をさらに備えることが好ましい。【選択図】図１
0003202349.tif 000002
【実用新案登録請求の範囲】
【請求項１】
第一の面に印面を有しゴム部材を含んで構成されるゴム印部と、
前記第一の面と反対側の第二の面上にシール材を介して設けられる粘土部と、
を備え、
前記シール材は、前記ゴム印部と前記粘土部とを接着する装飾用接着剤であることを特徴とする装飾印鑑。
【請求項２】
請求項１に記載の装飾印鑑において、
前記装飾用接着剤が硬化する前に前記装飾用接着剤の内部に挿入された部材をさらに備えることを特徴とする装飾印鑑。
【考案の詳細な説明】
【技術分野】
【０００１】
本考案は、装飾印鑑に関する。
【背景技術】
【０００２】
従来、ゴム部材を利用した印鑑が開発されている。例えば、特許文献１には、氏名差し込みゴム印の製造方法として、氏名印部分を切り取り、凹部を形成したものを原板印として大量に製作しておき、個人名の入った氏名印を成形して、原板印の凹部に差し込み一体化させてゴム印を製造する方法が開示されている。
【先行技術文献】
【特許文献】
【０００３】
【特許文献１】特開２００２−８６８６８号公報
【考案の概要】
【考案が解決しようとする課題】
【０００４】
上記のように、特許文献１には、実用的な面を重視したゴム印の構造が開示されているが、美観を考慮したものではない。一方、アクセサリなどの装飾品の分野では、カラフルな色や可愛らしい形状を形成することが可能な樹脂粘土又は樹脂風粘土を利用することが多くなってきている。
【０００５】
そこで、ゴム部材と樹脂粘土又は樹脂風粘土を用いて装飾された印鑑を作ることが望ましく、両者を適切に接着しつつ、装飾的な効果を損なわないことが求められる。
【０００６】
本考案の目的は、樹脂粘土又は樹脂風粘土とゴム部材とが装飾的効果を有する状態で接着された装飾印鑑を提供することである。
【課題を解決するための手段】
【０００７】
本考案に係る装飾印鑑は、第一の面に印面を有しゴム部材を含んで構成されるゴム印部と、前記第一の面と反対側の第二の面上にシール材を介して設けられる粘土部と、を備え、前記シール材は、前記ゴム印部と前記粘土部とを接着する装飾用接着剤であることを特徴とする。
【０００８】
また、本考案に係る装飾印鑑において、前記装飾用接着剤が硬化する前に前記装飾用接着剤の内部に挿入された部材をさらに備えることが好ましい。
【考案の効果】
【０００９】
本考案によれば、ゴム印部と粘土部とがシール材によって接着される。このシール材自身が装飾可能なものであるため、装飾的効果を有する状態でゴム印部と粘土部とを接着することができる。
【図面の簡単な説明】
【００１０】
【図１】本考案に係る実施形態において、装飾印鑑を示す図である。
【図２】本考案に係る実施形態において、装飾印鑑の各構成要素が分解された様子を示す図である。
【図３】本考案に係る実施形態において、装飾印鑑の変形例を構成する要素を示す図である。
【考案を実施するための形態】
【００１１】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１２】
図１は、装飾印鑑１０を示す図である。図２は、装飾印鑑１０の各構成要素が分解された様子を示す図である。装飾印鑑１０は、ゴム印部１２と、粘土部１４と、シール材１６と、装飾玉１７とを備える。装飾印鑑１０は、従来のように単に実用的な面だけを重視したゴム印鑑とは異なり、デコレーション加工された外形を有しており、例えば、ケーキなどのお菓子のような外形を有する印鑑である。
【００１３】
ゴム印部１２は、印面を有しており、ゴム部材を含んで構成される。ゴム印部１２は、略円柱の台座形状を有している。ゴム印部１２は、台座形状の第一の面１８（図１では、底面）と第二の面２０（図１では上面）とを備えている。ゴム印部１２は、第一の面１８を含み印面を構成するカラー部２２と、カラー部２２に積層される下地部２４とを備えている。なお、図２において、点線で拡大されているカラー部２２には、彫刻後の印面が示されている。また、ここでは、ゴム印部１２の形状は、断面が略円形の円柱形上であるものとして説明するが、もちろん、そのほかの形状であってもよく、例えば、略楕円形の円柱形状や直方体形状、立方体形状であってもよい。
【００１４】
カラー部２２は、消しゴム判子部材で構成され、カッターナイフなどの彫刻部材を用いて切削可能な部材である。カラー部２２は、様々な色で構成することが可能であり、例えば、ピンク色を用いることができる。カラー部２２の厚みは、数ｍｍ程度の厚みを有することが好適である。
【００１５】
下地部２４は、カラー部２２と同様に消しゴム判子部材で構成され、彫刻部材を用いて切削可能な部材である。下地部２４は、カラー部２２と同様に、様々な色で構成することが可能であるが、カラー部２２と異なる色に設定することが好ましく、カラー部２２がピンク色の場合、茶色などの色を用いることが好適である。下地部２４の厚みは、数ｍｍから数ｃｍ程度の厚みを有することが好ましい。なお、ここではカラー部２２の色をピンク色、下地部２４の色を茶色であるものとして説明したが、色の組み合わせには様々なものを選択することが可能であり、カラー部２２と下地部２４の色を同じ色に統一することも可能である。
【００１６】
下地部２４の第二の面２０は、凹凸部２５が形成されており、例えば、図２に示すように格子状の切り込みが形成されているが、もちろん、この形状に限定されず、他の形状とすることも可能である。
【００１７】
粘土部１４は、第一の面１８と反対側の第二の面２０にシール材１６を介して設けられる。粘土部１４は、木工用ボンドの成分として用いられる酢酸ビニルエマルジョンや穀紛を原料とする粘土であり、樹脂風粘土又は樹脂粘土と呼ばれている。粘土部１４は、自然乾燥により硬化して形成されるものである。また、穀紛の種類として、例えば、小麦粉、トウモロコシ、でんぷん等を含む。ここで、粘土部１４は、樹脂風粘土又は樹脂粘土だけでなく、これに細かな発泡スチロールを混ぜで容積を大きくした粘土である軽量粘土も含むものとする。
【００１８】
粘土部１４は、第一粘土部１４ａと第二粘土部１４ｂとを備える。第一粘土部１４ａは、複数枚の花びらを有する平板形状を有しており、ここでは、例えばピンク色に着色されているものとして説明する。第二粘土部１４ｂは、第一粘土部１４ａよりも平板面積が小さく花びらの枚数が少ない平板形状を有しており、ここでは、例えば紫色に着色されているものとして説明する。なお、ここでは第一粘土部１４ａの色をピンク色、第二粘土部１４ｂの色を茶色であるものとして説明したが、色の組み合わせには様々なものを選択することが可能であり、第一粘土部１４ａと第二粘土部１４ｂの色を同じ色に統一することも可能である。
【００１９】
シール材１６は、ゴム印部１２と粘土部１４とを接着する装飾用接着剤である。シール材１６は、目地・隙間をシーリングする建築用部材として用いられる無酢酸硬化型のシリコンシーラントを用いることが好適である。シール材１６は、白色を用いることが好ましく、ホイップクリームを絞り出すために用いられる絞り出し器具などを用いて、自由に装飾することができる。シール材１６の硬化時間は、数時間程度は必要であるため、硬化するまでにシール材１６の内部に所定の部材を挿入することも可能である。
【００２０】
装飾玉１７は、装飾印鑑１０の最上部に配置される装飾部品であり、ここでは、透明度の高い紫色に着色された球状の部材として説明するが、もちろん紫色に限定されず、その他の色に着色されてもよい。
【００２１】
続いて、装飾印鑑１０の製造方法について説明する。最初に、カッターナイフなどを用いて、ゴム印部１２の第一の面１８を含む印面を所定の形状に削る（Ｓ２）。その後、ゴム印部１２の第一の面１８を床面に載置してゴム印部１２の第二の面２０の上に、シール材１６が充填された絞り出し器具を位置させて、ホイップクリームを絞り出すようにシール材１６を載せる（Ｓ４）。
【００２２】
その後、第一粘土部１４ａを載せ、さらにその上にホイップクリーム状のシール材１６を再び配置する（Ｓ６）。次いで、第二粘土部１４ｂを載置して、その上にホイップクリームを絞り出すように再度シール材１６を載せる（Ｓ８）。そして、最後に装飾玉１７を中心部に載せ、そのまま数時間放置してシール材１６を硬化させる（Ｓ１０）。これにより、装飾印鑑１０が完成する。
【００２３】
次に、装飾印鑑１０の作用について説明する。上記のように、装飾印鑑１０は、ゴム印部１２と粘土部１４とがシール材１６によって接着される。このシール材１６自身がホイップクリームのように見立てて装飾されているため、ゴム印部１２と粘土部１４のみならず全体として可愛らしい美観を生じるような状態でゴム印部１２と粘土部１４とを接着することができるという利点がある。
【００２４】
また、装飾印鑑１０では、ゴム印部１２の第二の面２０には、格子状の凹凸部２５が形成されており、この凹にもシール材１６を充填させることで、より広範囲な面積で接着させることができるという効果がある。
【００２５】
次に、装飾印鑑１０の変形例について説明する。図３は、装飾印鑑１０の変形例に用いられる部材を示している。
【００２６】
図３の左に示されるのは、略円柱形上を有する磁石３０であり、例えば、ネオジム磁石を用いて構成することができる。第一の変形例としては、上記装飾印鑑１０の製造工程において、シール材１６が硬化する前に複数の磁石３０をシール材１６が配置された領域の周方向に並べて挿入する。この状態でシール材１６が硬化された後、装飾印鑑１０の第一変形例が完成する。装飾印鑑１０の第一変形例は、シール材１６が配置された領域において周方向に複数の磁石３０が配置されているため、装飾印鑑１０の第一変形例を色々な場所、例えば、冷蔵庫の扉などにくっつけることができる利点がある。
【００２７】
図３の右に示されるのは、装飾印鑑１０をひっかけるためのひっかけ部材３２であり、例えば、真喩ボールチェーンを用いて構成することができる。第二の変形例として、上記装飾印鑑１０の製造工程において、シール材１６が硬化する前に、リング部分を突出させたままの状態で、ひっかけ部材３２を挿入する。この状態でシール材１６が硬化された後、装飾印鑑１０の第二変形例が完成する。装飾印鑑１０の第二変形例は、ひっかけ部材３２が取り付けられているため、Ｓ字フック等の部材にリング部分をひっかけることで装飾印鑑１０の第二変形例を容易に保持することが出来る効果がある。
【符号の説明】
【００２８】
１０  装飾印鑑、１２  ゴム印部、１４  粘土部、１４ａ  第一粘土部、１４ｂ  第二粘土部、１６  シール材、１７  装飾玉、１８  第一の面、２０  第二の面、２２  カラー部、２４  下地部、２５  凹凸部、３０  磁石、３２  ひっかけ部材。
【図１】
0003202349.tif 000003
【図２】
0003202349.tif 000004
【図３】
0003202349.tif 000005